(57)【要約】【課題】インターホンの動作確認を行う。【解決手段】インターホンシステム１において、装置制御部４６が、子機インターホン１０をオフフック状態に切り換え、試験音声信号を子機インターホン１０に送信し、子機制御部１７が、子機アンプ１６によって、この試験音声信号を通話時より高いレベルに増幅し、有線１２を介して子機スピーカ１８に出力し、子機スピーカ１８によって、通話時より大きな音量で試験音声を放音し、子機マイク１９によって、子機スピーカ１８から放音された試験音声を集音し、この戻り試験音声信号を制御装置４０に返信し、装置制御部４６が、戻り試験音声信号に基づいて子機インターホン１０が正常であるかを判定することで、子機受話器１３を含む子機インターホン１０の動作確認を行うことができる。【選択図】図１
2009171346.tif 000002
【特許請求の範囲】
【請求項１】
親機インターホンと、当該親機インターホンと接続される少なくとも１以上の子機インターホンと、当該親機インターホンと当該少なくとも１以上の子機インターホンとの間に接続され、当該子機インターホンの動作確認を行う制御装置とを備えるインターホンシステムにおいて、
上記制御装置は、
上記子機インターホンをオンフック又はオフフック状態に切り換える切換信号を上記子機インターホンに送信する切換信号送信手段と、
上記切換信号送信手段によってオンフック状態からオフフック状態に切り換えられた上記子機インターホンに試験音声信号を送信する試験音声信号送信手段と、
上記子機インターホンから送信された戻り試験音声信号に基づいて上記子機インターホンが正常であるかを判定する判定手段と、
上記判定手段で判定した判定結果を上記親機インターホンに送信する判定結果送信手段とを有し、
上記子機インターホンは、
上記制御装置と接続される子機本体部と、
上記子機本体部と有線で接続される子機受話器とを有し、
上記子機本体部は、
上記切換信号送信手段から送信された切換信号に応じて上記子機インターホンをオンフック又はオフフック状態に切り換える子機切換手段と、
上記試験音声信号送信手段から送信された試験音声信号を通話時より高いレベルに増幅し、増幅した試験音声信号を有線を介して上記子機受話器に出力する子機増幅手段とを有し、
上記子機受話器は、
上記子機増幅手段から出力された試験音声信号に応じた試験音声を放音する子機スピーカと、
上記子機スピーカから放音された試験音声を集音し、集音した試験音声に応じた戻り試験音声信号を上記判定手段に送信する子機マイクとを有し、
上記親機インターホンは、上記判定結果送信手段から送信された判定結果を告知する告知手段を有し、
上記制御装置の切換信号送信手段は、上記子機インターホンをオンフック状態からオフフック状態に切り換える切換信号を上記少なくとも１以上の子機インターホンの子機切換手段に送信し、
上記子機切換手段は、上記切換信号送信手段から送信された切換信号に応じて上記子機インターホンをオンフック状態からオフフック状態に切り換え、
上記制御装置の試験音声信号送信手段は、上記試験音声信号を上記子機増幅手段に送信し、
上記子機増幅手段は、上記試験音声信号送信手段から送信された試験音声信号を通話時より高いレベルに増幅し、増幅した試験音声信号を有線を介して上記子機スピーカに出力し、
上記子機スピーカは、上記子機増幅手段から出力された試験音声信号に応じた試験音声を放音し、
上記子機マイクは、上記子機スピーカから放音された試験音声を集音し、集音した試験音声に応じた戻り試験音声信号を上記判定手段に送信し、
上記制御装置の判定手段は、上記子機マイクから送信された戻り試験音声信号に基づいて上記子機インターホンが正常であるかを判定し、
上記制御装置の判定結果送信手段は、上記判定手段によって判定した判定結果を上記告知手段に送信し、
上記告知手段は、上記判定結果送信手段から送信された判定結果を告知することを特徴とするインターホンシステム。
【請求項２】
更に、上記親機インターホンは、
上記制御装置と接続される親機本体部と、
上記親機本体部と有線で接続される親機受話器とを有し、
上記親機本体部は、
上記切換信号送信手段から送信された切換信号に応じて上記親機インターホンをオンフック又はオフフック状態に切り換える親機切換手段と、
上記試験音声信号送信手段から送信された試験音声信号を通話時より高いレベルに増幅し、増幅した試験音声信号を有線を介して上記親機受話器に出力する親機増幅手段とを有し、
上記親機受話器は、
上記親機増幅手段から出力された試験音声信号に応じた試験音声を放音する親機スピーカと、
上記親機スピーカから放音された試験音声を集音し、集音した試験音声に応じた戻り試験音声信号を上記判定手段に送信する親機マイクとを有し、
上記制御装置の切換信号送信手段は、上記親機インターホンをオンフック状態からオフフック状態に切り換える切換信号を上記親機切換手段に送信し、
上記親機切換手段は、上記切換信号送信手段から送信された切換信号に応じて上記親機インターホンをオンフック状態からオフフック状態に切り換え、
上記制御装置の試験音声信号送信手段は、上記試験音声信号を上記親機増幅手段に送信し、
上記親機増幅手段は、上記試験音声信号送信手段から送信された試験音声信号を通話時より高いレベルに増幅し、増幅した試験音声信号を有線を介して上記親機スピーカに送信し、
上記親機スピーカは、上記親機増幅手段から出力された試験音声信号に応じた試験音声を放音し、
上記親機マイクは、上記親機スピーカから放音された試験音声を集音し、集音した試験音声に応じた戻り試験音声信号を上記判定手段に送信し、
上記制御装置の判定手段は、上記親機マイクから送信された戻り試験音声信号に基づいて上記親機インターホンが正常であるかを判定し、
上記制御装置の判定結果送信手段は、上記判定手段によって判定した判定結果を上記告知手段に送信し、
上記告知手段は、上記判定結果送信手段から送信された判定結果を告知することを特徴とする請求項１記載のインターホンシステム。
【請求項３】
更に、上記制御装置は、上記切換信号送信手段によってオンフック状態からオフフック状態に切り換えられた上記親機インターホンに呼出試験信号を送信する呼出試験信号送信手段を有し、
更に、上記親機本体部は、上記呼出試験信号送信手段から送信された呼出試験信号に応じて呼出音声を放音する親機呼出スピーカを有し、
上記制御装置の切換信号送信手段は、上記親機インターホンをオンフック状態からオフフック状態に切り換える切換信号を上記親機切換手段に送信し、
上記親機切換手段は、上記切換信号送信手段から送信された切換信号に応じて上記親機インターホンをオンフック状態からオフフック状態に切り換え、
上記制御装置の呼出試験信号送信手段は、上記呼出試験信号を上記親機呼出スピーカに送信し、
上記親機呼出スピーカは、上記呼出試験信号送信手段から送信された呼出試験信号に応じて呼出音声を放音し、
上記親機マイクは、上記親機呼出スピーカから放音された呼出音声を集音し、集音した呼出音声に応じた呼出音声信号を上記判定手段に送信し、
上記制御装置の判定手段は、上記親機マイクから送信された呼出音声信号に基づいて上記親機インターホンが正常であるかを判定し、
上記制御装置の判定結果送信手段は、上記判定手段によって判定した判定結果を上記告知手段に送信し、
上記告知手段は、上記判定結果送信手段から送信された判定結果を告知することを特徴とする請求項２記載のインターホンシステム。
【請求項４】
更に、上記子機本体部は、上記子機受話器が載置される子機載置部を有し、
上記子機載置部は、
上記子機受話器が上記子機載置部に載置された際に上記子機スピーカと対向するように設けられた子機載置部マイクと、
上記子機受話器が上記子機載置部に載置された際に上記子機マイクと対向するように設けられた子機載置部スピーカとを有し、
上記子機載置部マイクは、上記子機スピーカから放音された試験音声を集音し、集音した試験音声に応じた試験音声信号を上記子機載置部スピーカに出力し、
上記子機載置部スピーカは、上記子機載置部マイクから出力された試験音声信号に応じた試験音声を放音し、
上記子機マイクは、上記子機スピーカから放音された試験音声を、上記子機載置部マイク及び上記子機載置部スピーカを介して集音し、集音した試験音声に応じた戻り試験音声信号を上記判定手段に送信することを特徴とする請求項１記載のインターホンシステム。
【請求項５】
更に、上記親機本体部は、上記親機受話器が載置される親機載置部を有し、
上記親機載置部は、
上記親機受話器が上記親機載置部に載置された際に上記親機スピーカと対向するように設けられた親機載置部マイクと、
上記親機受話器が上記親機載置部に載置された際に上記親機マイクと対向するように設けられた親機載置部スピーカとを有し、
上記親機載置部マイクは、上記親機スピーカから放音された試験音声を集音し、集音した試験音声に応じた試験音声信号を上記親機載置部スピーカに出力し、
上記親機載置部スピーカは、上記親機載置部マイクから出力された試験音声信号に応じた試験音声を放音し、
上記親機マイクは、上記親機スピーカから放音された試験音声を、上記親機載置部マイク及び上記親機載置部スピーカを介して集音し、集音した試験音声に応じた戻り試験音声信号を上記判定手段に送信することを特徴とする請求項２記載のインターホンシステム。
【請求項６】
更に、上記制御装置は、外部管理装置と通信を行う通信手段を有し、
上記通信手段は、上記判定手段が判定した判定結果を上記外部管理装置に送信することを特徴とする請求項１記載のインターホンシステム。
【請求項７】
更に、上記制御装置は、設定された時間に上記切換信号送信手段から上記子機切換手段に上記子機インターホンをオンフック状態からオフフック状態に切り換える切換信号を送信させるタイマを有することを特徴とする請求項１記載のインターホンシステム。
【請求項８】
親機インターホンと、当該親機インターホンと接続される少なくとも１以上の子機インターホンと、当該親機インターホンと当該少なくとも１以上の各子機インターホンとの間に接続され、当該子機インターホンの動作確認を行う制御装置とを備えるインターホンシステムの動作確認方法において、
上記制御装置の切換信号送信手段が、上記子機インターホンをオンフック状態からオフフック状態に切り換える切換信号を上記少なくとも１以上の子機インターホンの本体部の子機切換手段に送信するステップと、
上記子機インターホンの子機切換手段が、上記切換信号送信手段から送信された切換信号に応じて上記子機インターホンをオンフック状態からオフフック状態に切り換えるステップと、
上記制御装置の試験音声信号送信手段が、上記試験音声信号を上記子機インターホンの本体部の子機増幅手段に送信するステップと、
上記子機インターホンの子機増幅手段が、上記試験音声信号送信手段から送信された試験音声信号を通話時より高いレベルに増幅し、増幅した試験音声信号を上記子機インターホンの本体部と有線を介して接続されている上記子機インターホンの子機受話器の子機スピーカに出力するステップと、
上記子機インターホンの子機スピーカが、上記子機増幅手段から出力された試験音声信号に応じた試験音声を放音するステップと、
上記子機インターホンの子機受話器の子機マイクが、上記子機スピーカから放音された試験音声を集音し、集音した試験音声に応じた戻り試験音声信号を上記制御装置の判定手段に送信するステップと、
上記制御装置の判定手段が、上記子機マイクから送信された戻り試験音声信号に基づいて上記子機インターホンが正常であるかを判定するステップと、
上記制御装置の判定結果送信手段が、上記判定手段によって判定された判定結果を上記親機インターホンの告知手段に送信するステップと、
上記親機インターホンの告知手段が、上記判定結果送信手段から送信された判定結果を告知するステップとを有することを特徴とするインターホンシステムの動作確認方法。
【請求項９】
親機インターホンと、当該親機インターホンと接続される少なくとも１以上の子機インターホンと、当該親機インターホンと当該少なくとも１以上の子機インターホンとの間に接続され、当該子機インターホンの動作確認を行う制御装置において、
上記制御装置は、
上記子機インターホンをオンフック又はオフフック状態に切り換える切換信号を上記子機インターホンに送信する切換信号送信手段と、
上記切換信号送信手段によってオンフック状態からオフフック状態に切り換えられた上記子機インターホンに試験音声信号を送信する試験音声信号送信手段と、
上記子機インターホンから送信された戻り試験音声信号に基づいて上記子機インターホンが正常であるかを判定する判定手段と、
上記判定手段で判定した判定結果を上記親機インターホンに送信する判定結果送信手段とを有し、
上記切換信号送信手段は、上記子機インターホンをオンフック状態からオフフック状態に切り換える切換信号を上記少なくとも１以上の子機インターホンに送信し、
上記試験音声信号送信手段は、上記試験音声信号を上記子機インターホンに送信し、
上記判定手段は、上記切換信号送信手段から送信された切換信号に応じて上記子機インターホンをオンフック状態からオフフック状態に切り換えられ、上記試験音声信号送信手段から送信された試験音声信号を通話時より高いレベルに増幅し、増幅した試験音声信号に応じた試験音声を放音し、放音された試験音声を集音して、集音した試験音声に応じた上記子機インターホンから返信された戻り試験音声信号に基づいて上記子機インターホンが正常であるかを判定し、
上記判定結果送信手段は、上記判定手段によって判定された判定結果を上記親機インターホンに送信して、判定結果を告知することを特徴とする制御装置。
【発明の詳細な説明】
【技術分野】
【０００１】
本発明は、インターホンの動作確認を行うことができるインターホンシステム、制御装置及び動作確認方法に関する。
【背景技術】
【０００２】
インターホンシステムは、通常、子機インターホンと、この子機インターホンと通話回線で接続される親機インターホンとで構成され、例えば、子機インターホンは、銀行の貸金庫に複数ある個室にそれぞれ設置され、親機インターホンは、貸金庫と離れた場所にいる貸金庫を管理する管理者の机等に設置される。そして、インターホンシステムは、貸金庫の使用者が子機インターホンの本体部の載置部に載置されている受話器を取ると、親機インターホンの呼出音声が放音されて、管理者が親機インターホンの本体部の載置部に載置されている受話器を取ることで、子機インターホンの使用者と親機インターホンの管理者とが通話を行うことができる。
【０００３】
このような貸金庫で用いられるインターホンシステムは、一定期間毎に、親機インターホンや子機インターホン等の各機器が故障していないか動作確認を行う必要があり、親機インターホン及び子機インターホンの設置場所にそれぞれ作業者を配置して、実際に通話試験を実施して動作確認を行う必要がある。しかしながら、例えば子機インターホンの接続数が多いときや子機インターホンが親機インターホンから離れた場所に設置されているとき、通話試験を行うためには、作業者の負担が大きかったり、多くの人手を要することになる。そこで、子機インターホンの接続数が多いときや子機インターホンが親機インターホンから離れた場所に設置されているときであっても、作業者の負担を軽くし、多くの人手を要することなく、インターホンの動作確認を行うことができるインターホンシステムが望まれる。
【０００４】
例えば特許文献１のようなインターホンシステムは、親機インターホンから試験信号を各子機インターホンに送信し、各子機インターホンが送信された試験信号を検出し、親機インターホンに試験信号を返信することで、親機インターホンと複数の子機インターホンとの接続確認を行うことができる。
【０００５】
しかしながら、特許文献１のようなインターホンシステムでは、子機インターホンの本体部の故障の有無や、親機インターホンと子機インターホンとを接続する通話回線の断線等のような故障について動作確認を行うことができるが、受話器の動作確認、特に受話器のスピーカやマイクの故障の有無、受話器と本体部とを接続する有線の断線の有無等、受話器を含むインターホンシステムの動作確認を行うことができない。
【０００６】
【特許文献１】特開２００７−１４３０７８号公報
【発明の開示】
【発明が解決しようとする課題】
【０００７】
本発明は、このような従来の事情に鑑みて提案されたものであり、受話器を含むインターホンの動作確認を行うことができるインターホンシステム、制御装置及び動作確認方法を提供することを目的とする。
【課題を解決するための手段】
【０００８】
上述した目的を達成するために本発明に係るインターホンシステムは、親機インターホンと、当該親機インターホンと接続される少なくとも１以上の子機インターホンと、当該親機インターホンと当該少なくとも１以上の子機インターホンとの間に接続され、当該子機インターホンの動作確認を行う制御装置とを備えるものである。
【０００９】
制御装置は、子機インターホンをオンフック又はオフフック状態に切り換える切換信号を子機インターホンに送信する切換信号送信手段と、切換信号送信手段によってオンフック状態からオフフック状態に切り換えられた子機インターホンに試験音声信号を送信する試験音声信号送信手段と、子機インターホンから送信された戻り試験音声信号に基づいて上記子機インターホンが正常であるかを判定する判定手段と、判定手段で判定した判定結果を親機インターホンに送信する判定結果送信手段とを有し、子機インターホンは、制御装置と接続される子機本体部と、子機本体部と有線で接続される子機受話器とを有し、子機本体部は、切換信号送信手段から送信された切換信号に応じて子機インターホンをオンフック又はオフフック状態に切り換える子機切換手段と、試験音声信号送信手段から送信された試験音声信号を通話時より高いレベルに増幅し、増幅した試験音声信号を有線を介して子機受話器に出力する子機増幅手段とを有し、子機受話器は、子機増幅手段から出力された試験音声信号に応じた試験音声を放音する子機スピーカと、子機スピーカから放音された試験音声を集音し、集音した試験音声に応じた戻り試験音声信号を判定手段に送信する子機マイクとを有し、親機インターホンは、判定結果送信手段から送信された判定結果を告知する告知手段を有する。
【００１０】
そして、本発明に係るインターホンシステムは、制御装置の切換信号送信手段が、子機インターホンをオンフック状態からオフフック状態に切り換える切換信号を少なくとも１以上の子機インターホンの子機切換手段に送信し、子機切換手段が、切換信号送信手段から送信された切換信号に応じて子機インターホンをオンフック状態からオフフック状態に切り換え、制御装置の試験音声信号送信手段が、試験音声信号を子機増幅手段に送信し、子機増幅手段が、試験音声信号送信手段から送信された試験音声信号を通話時より高いレベルに増幅し、増幅した試験音声信号を有線を介して子機スピーカに出力し、子機スピーカが、子機増幅手段から出力された試験音声信号に応じた試験音声を放音し、子機マイクが、子機スピーカから放音された試験音声を集音し、集音した試験音声に応じた戻り試験音声信号を判定手段に送信し、制御装置の判定手段が、子機マイクから送信された戻り試験音声信号に基づいて上記子機インターホンが正常であるかを判定し、制御装置の判定結果送信手段が、判定手段によって判定した判定結果を告知手段に送信し、告知手段が、判定結果送信手段から送信された判定結果を告知する。
【００１１】
また、本発明は、以上のようなインターホンシステムの動作確認方法及びインターホンシステムで用いられる制御装置である。
【発明の効果】
【００１２】
本発明によれば、制御装置の切換信号送信手段が、子機インターホンをオンフック状態からオフフック状態に切り換える切換信号を少なくとも１以上の子機インターホンの子機切換手段に送信し、子機切換手段が、切換信号送信手段から送信された切換信号に応じて子機インターホンをオンフック状態からオフフック状態に切り換え、制御装置の試験音声信号送信手段が、試験音声信号を子機増幅手段に送信し、子機増幅手段が、試験音声信号送信手段から送信された試験音声信号を通話時より高いレベルに増幅し、増幅した試験音声信号を有線を介して子機スピーカに出力し、子機スピーカが、子機増幅手段から出力された試験音声信号に応じた試験音声を放音し、子機マイクが、子機スピーカから放音された試験音声を集音し、集音した試験音声に応じた戻り試験音声信号を判定手段に送信し、制御装置の判定手段が、子機マイクから送信された戻り試験音声信号に基づいて上記子機インターホンが正常であるかを判定することで、子機受話器の動作確認、特に子機受話器の子機スピーカや子機マイクの故障の有無、子機受話器と子機本体部とを接続する有線の断線の有無等、子機受話器を含む子機インターホンの動作確認を行うことができる。
【発明を実施するための最良の形態】
【００１３】
以下、本発明が適用されたインターホンシステム１について、図面を参照して説明する。本発明が適用されたインターホンシステム１は、図１に示すように、例えば、銀行の貸金庫に複数ある個室にそれぞれ設置される複数の子機インターホン１０と、これら子機インターホン１０と通話回線２を介して接続され、貸金庫と離れた場所にいる貸金庫を管理する管理者の机等に設置される親機インターホン２０と、各子機インターホン１０及び親機インターホン２０との間に接続され、子機インターホン１０及び親機インターホン２０の動作確認を行う制御装置４０とを備えている。なお、制御装置４０は、例えば銀行内の管理者と同じフロアーに設置されている。
【００１４】
子機インターホン１０は、図２に示すように、制御装置４０と通話回線２を介して接続された子機本体部１１と、この子機本体部１１と通話回線２等の有線１２を介して接続された子機受話器１３とを備えている。
【００１５】
子機本体部１１は、制御装置４０と通話回線２を介して接続する子機通話回線インタフェース（以下、子機通話回線Ｉ／Ｆともいう。）１４と、子機インターホン１０をオンフック又はオフフック状態に切り換える子機切換部１５と、子機通話回線Ｉ／Ｆ１４から送信された各種音声信号及び子機通話回線Ｉ／Ｆ１４から送信する各種音声信号を増幅する子機アンプ１６と、子機インターホン１０の全体を制御する子機制御部１７とを有している。また、子機受話器１３は、子機インターホン１０の動作確認が行われるとき、子機インターホン１０の動作確認を行うための試験音声を放音する子機スピーカ１８と、子機スピーカ１８から放音された試験音声を集音する子機マイク１９とを有している。
【００１６】
子機通話回線Ｉ／Ｆ１４は、例えば子機インターホン１０と制御装置４０とを接続する通話回線２に設けられたモジュラープラグが挿入されるモジュラージャックであり、制御装置４０から各種信号を受信するとともに、各種信号を制御装置４０に送信する。
【００１７】
子機切換部１５は、制御装置４０から子機通話回線Ｉ／Ｆ１４を介して子機インターホン１０をオンフック状態からオフフック状態に切り換える切換信号を受信すると、この切換信号に応じて子機インターホン１０をオンフック状態からオフフック状態に切り換える。また、子機切換部１５は、制御装置４０から子機通話回線Ｉ／Ｆ１４を介して試験音声信号を受信すると、この試験音声信号を子機アンプ１６に出力し、子機アンプ１６から戻り試験音声信号が入力されると、この戻り試験音声信号を子機通話回線Ｉ／Ｆ１４に出力する。更に、子機切換部１５は、試験音声信号を子機アンプ１６に出力して、戻り試験音声信号を子機通話回線Ｉ／Ｆ１４に出力した後に、子機インターホン１０をオフフック状態からオンフック状態に切り換える。
【００１８】
子機アンプ１６は、子機切換部１５から試験音声信号が入力されると、通話時より高いレベルまで増幅し、増幅した試験音声信号を有線１２を介して子機スピーカ１８に出力する。また、子機アンプ１６は、子機マイク１９から有線１２を介して戻り試験音声信号が入力されると、この戻り試験音声信号を増幅し、増幅した戻り試験音声信号を子機切換部１５に出力する。
【００１９】
子機制御部１７は、子機インターホン１０の全体の動作を制御するものであり、図示しない全体の動作を制御する制御プログラムが格納されたＲＯＭ（Read Only Memory）から制御プログラムを一時的にＲＡＭ（Random Access Memory）に読み込ませ、ＣＰＵ（Central Processing Unit）で制御プログラムに従った所定の演算処理を行い、子機インターホン１０の全体の動作を制御する。
【００２０】
子機受話器１３に用いられる子機スピーカ１８は、子機インターホン１０の動作確認が行われるとき、子機アンプ１６から試験音声信号が入力されると、この試験音声信号に応じた試験音声を放音する。
【００２１】
子機マイク１９は、子機インターホン１０の動作確認が行われるとき、子機スピーカ１８から放音された試験音声信号を集音し、集音した試験音声に応じた戻り試験音声信号を有線１２を介して子機アンプ１６に出力する。
【００２２】
親機インターホン２０は、図３に示すように、制御装置４０と通話回線２を介して接続される親機本体部２１と、この親機本体部２１と通話回線２等の有線２２を介して接続される親機受話器２３とを備えている。
【００２３】
親機本体部２１には、制御装置４０と通話回線２を介して接続される親機通話回線インタフェース（以下、親機通話回線Ｉ／Ｆともいう。）２４と、親機インターホン２０をオンフック又はオフフック状態に切り換える親機切換部２５と、制御装置４０から親機通話回線Ｉ／Ｆ２４を介して受信した各種音声信号及び親機通話回線Ｉ／Ｆ２４から制御装置４０に送信する各種音声信号を増幅する親機アンプ２６と、子機インターホン１０及び親機インターホン２０の動作確認を開始する操作等を行う親機操作部２７と、各子機インターホン１０及び親機インターホン２０の動作確認結果を告知する親機告知部２８と、呼出音声を放出する親機呼出スピーカ２９と、親機インターホン２０の全体を制御する親機制御部３０とを有している。また、親機受話器２３は、親機インターホン２０の動作確認が行われるとき、親機インターホン２０の動作確認を行うための試験音声を放音する親機スピーカ３１と、親機スピーカ３１から放音された試験音声及び親機呼出スピーカ２９から放音された呼出音声を集音する親機マイク３２とを有している。
【００２４】
親機通話回線Ｉ／Ｆ２４は、例えば親機インターホン２０と制御装置４０とを接続する通話回線２に設けられたモジュラープラグが挿入されるモジュラージャックであり、制御装置４０から各種信号を受信するとともに、各種信号を制御装置４０に送信する。
【００２５】
親機切換部２５は、制御装置４０から親機通話回線Ｉ／Ｆ２４を介して親機インターホン２０をオンフック状態からオフフック状態に切り換える切換信号を受信すると、この切換信号に応じて親機インターホン２０をオンフック状態からオフフック状態に切り換える。また、親機切換部２５は、制御装置４０から親機通話回線Ｉ／Ｆ２４を介して試験音声信号を受信すると、この試験音声信号を親機アンプ２６に出力し、親機アンプ２６から戻り試験音声信号及び呼出音声信号が入力されると、これら戻り試験音声信号及び呼出音声信号を親機通話回線Ｉ／Ｆ２４を介して制御装置４０に送信する。更に、親機切換部２５は、試験音声信号を親機アンプ２６に出力して、戻り試験音声信号及び呼出音声信号を親機通話回線Ｉ／Ｆ２４に出力した後に、親機インターホン２０をオフフック状態からオンフック状態に切り換える。
【００２６】
親機アンプ２６は、親機切換部２５から試験音声信号が入力されると、通話時より高いレベルまで増幅し、増幅した試験音声信号を有線２２を介して親機スピーカ３１に出力する。また、親機アンプ２６は、親機マイク３２から有線２２を介して戻り試験音声信号及び呼出音声信号が入力されると、これら戻り試験音声信号及び呼出音声信号を増幅し、増幅した戻り試験音声信号及び戻り呼出音声信号を親機切換部２５に出力する。
【００２７】
親機操作部２７は、例えば親機本体部２１の上面に設けられた複数個の押しボタンであり、管理者によって子機インターホン１０及び親機インターホン２０の動作確認を開始させる動作確認開始ボタンが押されると、親機制御部３０から動作確認を開始させる動作確認開始信号を制御装置４０に送信する。これにより、子機インターホン１０及び親機インターホン２０は、動作確認が開始される。また、親機操作部２７は、後述するタイマ部４５の時刻の設定を行う時刻設定ボタン等が設けられている。
【００２８】
親機告知部２８は、親機本体部２１の上面に設けられた複数個のＬＥＤ（Light Emitting Diode）等の発光素子であり、例えば子機インターホン１０の子機受話器１３の動作確認判定結果と、親機インターホン２０の親機受話器２３の動作確認判定結果と、親機呼出スピーカ２９の動作確認判定結果と対応するように複数個設けられている。また、親機告知部２８は、各動作確認に対して異なる色のＬＥＤを複数個組み合わせて設け、故障やエラー等がない正常な状態であるときと、故障やエラー等が発見された異常な状態であるときとで、異なる色のＬＥＤが点灯する。具体的に、親機告知部２８は、故障やエラー等がない正常な状態であるとき緑色のＬＥＤが点灯され、故障やエラー等が発見された異常な状態であるとき赤色のＬＥＤが点灯される。すなわち、親機告知部２８には、少なくとも、子機インターホン１０の子機受話器１３の正常な動作確認判定結果と対応するＬＥＤと、異常な動作確認判定結果と対応するＬＥＤと、親機インターホン２０の親機受話器２３の正常な動作確認判定結果と対応するＬＥＤと、異常な動作確認判定結果と対応するＬＥＤと、親機インターホン２０の親機呼出スピーカ２９の正常な動作確認判定結果と対応するＬＥＤと、異常な動作確認判定結果と対応するＬＥＤとが設けられている。これにより、管理者は、親機告知部２８を見ることで、どのインターホンが正常な状態であり、どのインターホンが異常な状態であるのかを一目で確認することができる。
【００２９】
なお、ＬＥＤは、緑色及び赤色のＬＥＤを用いることに限定されるものではなく、他の色を組み合わせて用いてもよい。また、ＬＥＤは、部品点数を減らすために各動作確認に対して一色のＬＥＤをオンオフすることで、正常や異常な状態を確認できるようにしてもよい。更に、ＬＥＤは、緑色や赤色等、異なる色に変色可能なＬＥＤを用いてもよい。また、親機告知部２８は、ＬＥＤを用いて各動作確認の動作確認判定結果を告知することに限定されるものではなく、例えば、ＬＣＤ（Liquid Crystal Display）や有機ＥＬ（Electro Luminescence）等を用いて各動作確認の動作確認判定結果を文字で告知するようにしてもよい。更に、親機本体部２１には、親機操作部２７と親機告知部２８とを兼ねるタッチパネルを有するようにしてもよい。また、親機告知部２８は、可聴音で、異常な状態を警告するようにしてもよい。
【００３０】
親機呼出スピーカ２９は、親機インターホン２０の動作確認が行われるとき、制御装置４０から親機通話回線Ｉ／Ｆ２４を介して呼出試験信号を受信すると、この呼出試験信号に応じて呼出音声を放音する。
【００３１】
親機制御部３０は、親機インターホン２０の全体の動作を制御するものであり、図示しない全体の動作を制御する制御プログラムが格納されたＲＯＭから制御プログラムを一時的にＲＡＭに読み込ませ、ＣＰＵで制御プログラムに従った所定の演算処理を行い、親機インターホン２０の全体の動作を制御する。
【００３２】
親機受話器２３に用いられる親機スピーカ３１は、親機インターホン２０の動作確認が行われるとき、親機アンプ２６から試験音声信号が入力されると、この試験音声信号に応じた試験音声を放音する。
【００３３】
親機マイク３２は、親機インターホン２０の動作確認が行われるとき、親機スピーカ３１から放音された試験音声を集音し、集音した試験音声に応じた戻り試験音声信号を有線２２を介して親機アンプ２６に出力する。また、親機マイク３２は、親機インターホン２０の動作確認が行われるとき、親機呼出スピーカ２９から放音される呼出音声を集音し、集音した呼出音声に応じた呼出音声信号を有線２２を介して親機アンプ２６に出力する。
【００３４】
制御装置４０は、図４に示すように、各子機インターホン１０及び親機インターホン２０に通話回線２を介して駆動電流を供給する電源部４１と、各子機インターホン１０及び親機インターホン２０とそれぞれ接続する装置通話回線インタフェース（以下、装置通話回線Ｉ／Ｆともいう。）４２と、装置通話回線Ｉ／Ｆ４２を介して返信された戻り試験音声信号及び呼出音声信号が正常であるかを判定するためのデータが格納されている記憶部４３と、ネットワークを介して外部管理装置５０と接続する通信インタフェース（以下、通信Ｉ／Ｆともいう。）４４と、所定の時間を計時するタイマ部４５と、制御装置４０の全体を制御する装置制御部４６とを有している。
【００３５】
電源部４１は、例えばスイッチングレギュレータを有し、商用電源等の外部電源コンセント等の電源供給端子を介して供給される交流電流を通話回線２を介して各子機インターホン１０及び親機インターホン２０に供給する。
【００３６】
装置通話回線Ｉ／Ｆ４２は、例えば各子機インターホン１０と制御装置４０とを接続する通話回線２に設けられたモジュラープラグ及び親機インターホン２０と制御装置４０とを接続する通話回線２に設けられたモジュラープラグが挿入されるモジュラージャックであり、各種信号を各子機インターホン１０及び親機インターホン２０に送信するとともに、各子機インターホン１０及び親機インターホン２０から各種信号を受信する。
【００３７】
記憶部４３は、例えばＥＥＰＲＯＭ（Electrically Erasable and Programmable Read Only Memory）等の不揮発性メモリで構成されており、子機インターホン１０及び親機インターホン２０が正常であるかを判定するためのデータが格納されている。記憶部４３は、装置制御部４６が子機インターホン１０から返信された戻り試験音声信号及び親機インターホン２０から返信された戻り試験音声信号及び呼出音声信号に基づいて子機インターホン１０及び親機インターホン２０が正常であるかを判定するとき、これらのデータが読み出される。
【００３８】
通信Ｉ／Ｆ４４は、例えばイーサネット（登録商標）等のネットワークを介して制御装置４０と外部管理装置５０とを接続する１０ＢＡＳＥ−Ｔケーブルや１００ＢＡＳＥ−ＴＸケーブルに設けられたモジュラープラグが挿入されるモジュラージャックであり、外部管理装置５０にアクセスし、装置制御部４６から入力された動作確認判定結果を外部管理装置５０に送信する。
【００３９】
タイマ部４５は、時刻や所定時間を計時し、管理者が親機操作部２７を操作して設定した所定の時間に子機インターホン１０及び親機インターホン２０の動作確認を開始させる動作確認開始信号を装置制御部４６に出力する。これにより、子機インターホン１０及び親機インターホン２０は、管理者が親機操作部２７を操作して設定した所定の時間に自動的に動作確認が行われる。
【００４０】
装置制御部４６は、制御装置４０の全体の動作を制御するものであり、図示しない全体の動作を制御する制御プログラムが格納されたＲＯＭから制御プログラムを一時的にＲＡＭに読み込ませ、ＣＰＵで制御プログラムに従った所定の演算処理を行い、制御装置４０の全体の動作を制御する。
【００４１】
ここで、通信Ｉ／Ｆ４４を介して制御装置４０と接続される外部管理装置５０は、子機インターホン１０、親機インターホン２０及び制御装置４０を管理する外部管理者の情報処理装置等であり、制御装置４０からネットワークを介して送信された動作確認判定結果を管理することで、例えば子機インターホン１０、親機インターホン２０及び制御装置４０と離れた遠隔地でも子機インターホン１０、親機インターホン２０及び制御装置４０の管理を行うことができる。
【００４２】
次に、制御装置４０が子機インターホン１０及び親機インターホン２０の動作確認を行う動作確認方法について、図５及び図６に示すフローチャートを用いて説明する。
【００４３】
ステップＳ１において、先ず、装置制御部４６は、管理者が設定した所定の時間にタイマ部４５から子機インターホン１０及び親機インターホン２０の動作確認を開始させる動作確認開始信号が入力されると、子機インターホン１０の動作確認を開始する。又は、装置制御部４６は、管理者によって子機インターホン１０及び親機インターホン２０の動作確認を開始させる親機操作部２７の動作確認開始ボタンが押されて親機インターホン２０から装置通話回線Ｉ／Ｆ４２を介して子機インターホン１０及び親機インターホン２０の動作確認を開始させる動作確認を開始させる動作確認開始信号を受信すると、子機インターホン１０の動作確認を開始する。
【００４４】
ステップＳ２において、装置制御部４６は、装置通話回線Ｉ／Ｆ４２を介して子機インターホン１０をオンフック状態からオフフック状態にする切換信号を順次子機インターホン１０に送信する。そして、子機制御部１７は、子機通話回線Ｉ／Ｆ１４を介して制御装置４０から子機インターホン１０をオンフック状態からオフフック状態に切り換える切換信号を受信すると、子機切換部１５によって、この切換信号に応じて子機インターホン１０をオンフック状態からオフフック状態に切り換える。
【００４５】
ステップＳ３において、装置制御部４６は、装置通話回線Ｉ／Ｆ４２を介して子機インターホン１０の動作確認を行うための試験音声信号を子機インターホン１０に送信する。
【００４６】
ステップＳ４において、子機制御部１７は、子機通話回線Ｉ／Ｆ１４を介して子機インターホン１０の動作確認を行うための試験音声信号を受信すると、子機アンプ１６によって、この試験音声信号を通話時より高いレベルまで増幅し、増幅した試験音声信号を有線１２を介して子機スピーカ１８に出力する。そして、子機制御部１７は、子機スピーカ１８からこの試験音声信号に応じた試験音声を放音する。
【００４７】
ステップＳ５において、子機制御部１７は、子機マイク１９によって、子機スピーカ１８から放音された試験音声信号を集音し、集音した試験音声に応じた戻り試験音声信号を有線１２を介して子機アンプ１６に出力する。
【００４８】
ステップＳ６において、子機制御部１７は、子機アンプ１６によって、この戻り試験音声信号を増幅し、増幅した戻り試験音声信号を子機切換部１５及び子機通話回線Ｉ／Ｆ１４を介して制御装置４０に送信するとともに、子機インターホン１０をオフフック状態からオンフック状態に切り換える。
【００４９】
装置制御部４６は、ステップＳ７において、装置通話回線Ｉ／Ｆ４２を介して子機インターホン１０から戻り試験音声信号が返信されると、この戻り試験音声信号に基づいて子機インターホン１０が正常であるかを判定する。具体的に、装置制御部４６は、記憶部４３から子機インターホン１０が正常であるかを判定するためのデータを読み出し、このデータと戻り試験音声信号との周波数が一致するとき、この子機インターホン１０を故障やエラー等がない正常な状態であると判定し、このデータと戻り試験音声信号との周波数が一致しないとき、又は、戻り試験音声信号が所定の時間になっても返信されないとき、この子機インターホン１０を故障やエラー等がある異常な状態であると判定する。又は、装置制御部４６は、戻り試験音声信号のレベルが所定のレベル以上であるとき、この子機インターホン１０を故障やエラー等がない正常な状態であると判定し、戻り試験音声信号のレベルが所定のレベル未満であるとき、又は、戻り試験音声信号が所定の時間になっても返信されないとき、この子機インターホン１０を故障やエラー等がある異常な状態であると判定する。
【００５０】
そして、装置制御部４６は、子機インターホン１０が正常であると判定したとき、ステップＳ８において、装置通話回線Ｉ／Ｆ４２を介してこの子機インターホン１０の子機受話器１３の動作確認判定結果を親機告知部２８に送信するとともに、通信Ｉ／Ｆ４４を介してこの子機インターホン１０の子機受話器１３の動作確認判定結果を外部管理装置５０に送信する。そして、親機制御部３０は、制御装置４０から親機通話回線Ｉ／Ｆ２４を介して子機インターホン１０の子機受話器１３の動作確認判定結果を受信すると、この動作確認判定結果に応じた親機告知部２８の緑色のＬＥＤを点灯する。
【００５１】
また、装置制御部４６は、子機インターホン１０に異常があると判定したとき、ステップＳ９において、装置通話回線Ｉ／Ｆ４２を介してこの子機インターホン１０の子機受話器１３の動作確認判定結果を親機告知部２８に送信するとともに、通信Ｉ／Ｆ４４を介してこの子機インターホン１０の子機受話器１３の動作確認判定結果を外部管理装置５０に送信する。そして、親機制御部３０は、制御装置４０から親機通話回線Ｉ／Ｆ２４を介して子機インターホン１０の子機受話器１３の動作確認判定結果を受信すると、この動作確認判定結果に応じた親機告知部２８の赤色のＬＥＤを点灯する。
【００５２】
ステップＳ１０において、装置制御部４６は、全ての子機インターホン１０に対して動作確認を行ったか判定し、行っていないとき、ステップＳ２〜ステップＳ９の工程をまだ動作確認を行っていない他の子機インターホン１０に行い、全ての子機インターホン１０の動作確認を行う。これにより、装置制御部４６は、子機受話器１３の子機スピーカ１８及び子機マイク１９の故障の有無や、子機本体部１１と子機受話器１３とを接続する有線１２の断線、接続異常等の有無を確認することができ、更に、子機本体部１１の故障の有無、子機インターホン１０と制御装置４０とを接続する通話回線２の断線、接続異常等の有無の確認をすることができ、子機受話器１３を含む子機インターホン１０の動作確認を行うことができる。
【００５３】
子機インターホン１０の動作確認が終了すると、ステップＳ１１において、装置制御部４６は、親機インターホン２０の動作確認を開始する。具体的に、ステップ２〜ステップ９の動作を行う。
【００５４】
すなわち、装置制御部４６は、装置通話回線Ｉ／Ｆ４２を介して親機インターホン２０をオンフック状態からオフフック状態にする切換信号を親機インターホン２０に送信する。そして、親機制御部３０は、制御装置４０から親機通話回線Ｉ／Ｆ２４を介して親機インターホン２０をオンフック状態からオフフック状態に切り換える切換信号を受信すると、親機切換部２５によって、この切換信号に応じて親機インターホン２０をオンフック状態からオフフック状態に切り換える。
【００５５】
装置制御部４６は、装置通話回線Ｉ／Ｆ４２を介して親機インターホン２０の動作確認を行うための試験音声信号を親機インターホン２０に送信する。
【００５６】
親機制御部３０は、制御装置４０から親機通話回線Ｉ／Ｆ２４を介して親機インターホン２０の親機受話器２３の動作確認を行うための試験音声信号を受信すると、親機アンプ２６によって、この試験音声信号を通話時より高いレベルまで増幅し、増幅した試験音声信号を有線２２を介して親機スピーカ３１に出力する。そして、親機制御部３０は、親機スピーカ３１からこの試験音声信号に応じた試験音声を放音する。
【００５７】
親機制御部３０は、親機マイク３２によって、親機スピーカ３１から放音された試験音声を集音し、集音した試験音声に応じた戻り試験音声信号を有線２２を介して親機アンプ２６に出力する。
【００５８】
親機制御部３０は、親機アンプ２６によって、この戻り試験音声信号を増幅し、増幅した戻り試験音声信号を親機切換部２５及び親機通話回線Ｉ／Ｆ２４を介して制御装置４０に送信する。
【００５９】
装置制御部４６は、装置通話回線Ｉ／Ｆ４２を介して親機インターホン２０から戻り試験音声信号が返信されると、この戻り試験音声信号に基づいて親機インターホン２０が正常であるかを判定する。具体的に、装置制御部４６は、記憶部４３から親機インターホン２０が正常であるかを判定するためのデータを読み出し、このデータと戻り試験音声信号との周波数が一致するとき、この親機インターホン２０を故障やエラー等がない正常な状態であると判定し、このデータと戻り試験音声信号との周波数が一致しないとき、又は、戻り試験音声信号が所定の時間になっても返信されないとき、この親機インターホン２０を故障やエラー等がある異常な状態であると判定する。又は、装置制御部４６は、戻り試験音声信号のレベルが所定のレベル以上であるとき、この親機インターホン２０を故障やエラー等がない正常な状態であると判定し、戻り試験音声信号のレベルが所定のレベル未満であるとき、又は、戻り試験音声信号が所定の時間になっても返信されないとき、この親機インターホン２０を故障やエラー等がある異常な状態であると判定する。
【００６０】
そして、装置制御部４６は、親機インターホン２０が正常であると判定したとき、装置通話回線Ｉ／Ｆ４２を介してこの親機インターホン２０の親機受話器２３の動作確認判定結果を親機告知部２８に送信するとともに、通信Ｉ／Ｆ４４を介してこの親機インターホン２０の親機受話器２３の動作確認判定結果を外部管理装置５０に送信する。そして、親機制御部３０は、制御装置４０から親機通話回線Ｉ／Ｆ２４を介して親機インターホン２０の親機受話器２３の動作確認判定結果を受信すると、この動作確認判定結果に応じた親機告知部２８の緑色のＬＥＤを点灯する。
【００６１】
また、装置制御部４６は、親機インターホン２０に異常があると判定したとき、装置通話回線Ｉ／Ｆ４２を介してこの親機インターホン２０の親機受話器２３の動作確認判定結果を親機告知部２８に送信するとともに、通信Ｉ／Ｆ４４を介してこの親機インターホン２０の親機受話器２３の動作確認判定結果を外部管理装置５０に送信する。そして、親機制御部３０は、制御装置４０から親機通話回線Ｉ／Ｆ２４を介して親機インターホン２０の親機受話器２３の動作確認判定結果を受信すると、この動作確認判定結果に応じた親機告知部２８の赤色のＬＥＤを点灯する。
【００６２】
これにより、装置制御部４６は、親機受話器２３の親機スピーカ３１及び親機マイク３２の故障の有無や、親機本体部２１と親機受話器２３とを接続する有線２２の断線、接続異常等の有無を確認することができ、更に、親機本体部２１の故障の有無、親機インターホン２０と制御装置４０とを接続する通話回線２の断線、接続異常等の有無の確認をすることができ、親機受話器２３を含む親機インターホン２０の動作確認を行うことができる。
【００６３】
親機インターホン２０の親機受話器２３の動作確認が終了すると、装置制御部４６は、親機インターホン２０の親機呼出スピーカ２９の動作確認を開始する。
【００６４】
ステップＳ１２において、装置制御部４６は、装置通話回線Ｉ／Ｆ４２を介して親機インターホン２０の親機呼出スピーカ２９の動作確認を行うための呼出試験信号を親機インターホン２０に送信する。
【００６５】
ステップＳ１３において、親機制御部３０は、制御装置４０から親機通話回線Ｉ／Ｆ２４を介して呼出試験信号を受信すると、親機呼出スピーカ２９からこの呼出試験信号に応じた呼出音声を放音する。
【００６６】
ステップＳ１４において、親機制御部３０は、親機マイク３２によって、親機呼出スピーカ２９から放音された呼出音声を集音し、集音した呼出音声に応じた呼出音声信号を有線２２を介して親機アンプ２６に出力する。
【００６７】
ステップＳ１５において、親機制御部３０は、親機アンプ２６によって、この呼出音声信号を増幅し、増幅した呼出音声信号を親機切換部２５及び親機通話回線Ｉ／Ｆ２４を介して制御装置４０に送信するとともに、親機インターホン２０をオフフック状態からオンフック状態に切り換える。
【００６８】
ステップＳ１６において、装置制御部４６は、装置通話回線Ｉ／Ｆ４２を介して親機インターホン２０から呼出音声信号が返信されると、この呼出音声信号に基づいて親機インターホン２０の親機呼出スピーカ２９が正常であるかを判定する。具体的に、装置制御部４６は、記憶部４３から親機呼出スピーカ２９が正常であるかを判定するためのデータを読み出し、このデータと呼出音声信号との周波数が一致するとき、この親機呼出スピーカ２９を故障やエラー等がない正常な状態であると判定し、このデータと呼出音声信号との周波数が一致しないとき、又は、呼出音声信号が所定の時間になっても返信されないとき、この親機呼出スピーカ２９を故障やエラー等がある異常な状態であると判定する。又は、装置制御部４６は、呼出音声信号のレベルが所定のレベル以上であるとき、この親機呼出スピーカ２９を故障やエラー等がない正常な状態であると判定し、呼出音声信号のレベルが所定のレベル未満であるとき、又は、呼出音声信号が所定の時間になっても返信されないとき、この親機呼出スピーカ２９を故障やエラー等がある異常な状態であると判定するようにしてもよい。
【００６９】
そして、装置制御部４６は、ステップＳ１７において、親機呼出スピーカ２９が正常であると判定したとき、装置通話回線Ｉ／Ｆ４２を介してこの親機インターホン２０の親機呼出スピーカ２９の動作確認判定結果を親機告知部２８に送信するとともに、通信Ｉ／Ｆ４４を介してこの親機インターホン２０の親機呼出スピーカ２９の動作確認判定結果を外部管理装置５０に送信する。そして、親機制御部３０は、制御装置４０から親機通話回線Ｉ／Ｆ２４を介してこの親機インターホン２０の親機呼出スピーカ２９の動作確認判定結果を受信すると、この動作確認判定結果に応じた親機告知部２８の緑色のＬＥＤを点灯する。
【００７０】
また、装置制御部４６は、ステップＳ１８において、装置通話回線Ｉ／Ｆ４２を介してこの親機インターホン２０の親機呼出スピーカ２９の動作確認判定結果を親機告知部２８に送信するとともに、通信Ｉ／Ｆ４４を介してこの親機インターホン２０の親機呼出スピーカ２９の動作確認判定結果を外部管理装置５０に送信する。そして、親機制御部３０は、制御装置４０から親機通話回線Ｉ／Ｆ２４を介してこの親機インターホン２０の親機呼出スピーカ２９の動作確認判定結果を受信すると、この動作確認判定結果に応じた親機告知部２８の赤色のＬＥＤを点灯する。
【００７１】
これにより、装置制御部４６は、親機呼出スピーカ２９の故障の有無等を確認することができ、親機受話器２３を含む親機インターホン２０の動作確認を行うことができる。
【００７２】
なお、装置制御部４６は、タイマ部４５又は管理者によって親機操作部２７の動作確認開始ボタンが押されると、先ず、子機インターホン１０の子機受話器１３の動作確認を行い、次いで、親機インターホン２０の親機受話器２３の動作確認を行い、次いで、親機インターホン２０の親機呼出スピーカ２９の動作確認を行うことに限定されるものではなく、例えば、先ず、親機インターホン２０の親機受話器２３の動作確認を行い、次いで、親機インターホン２０の親機呼出スピーカ２９の動作確認を行い、次いで、子機インターホン１０の子機受話器１３の動作確認を行ってもよく、動作確認を行う順番は適宜変更可能である。
【００７３】
以上のような構成を有する本発明のインターホンシステム１は、装置制御部４６が、子機インターホン１０をオンフック状態からオフフック状態に切り換え、試験音声信号を子機インターホン１０に送信し、子機制御部１７が、子機アンプ１６によって、試験音声信号を通話時より高いレベルに増幅し、子機スピーカ１８によって、増幅された試験音声信号に応じた試験音声を通話時より大きな音量で放音し、子機マイク１９によって、子機スピーカ１８から放音された試験音声を集音し、集音した試験音声に応じた戻り試験音声信号を制御装置４０に送信し、装置制御部４６が、この戻り試験音声信号に基づいて子機インターホン１０が正常であるかを判定することで、子機受話器１３の子機スピーカ１８及び子機マイク１９の故障の有無や、子機本体部１１と子機受話器１３とを接続する有線１２の断線、接続異常等の有無を確認することができ、更に、子機本体部１１の故障の有無、子機インターホン１０と制御装置４０とを接続する通話回線２の断線、接続異常等の有無の確認をすることができ、子機受話器１３を含む子機インターホン１０の動作確認を行うことができる。
【００７４】
また、本発明のインターホンシステム１は、装置制御部４６が、親機インターホン２０をオンフック状態からオフフック状態に切り換え、試験音声信号を親機インターホン２０に送信し、親機制御部３０が、親機アンプ２６によって、試験音声信号を通話時より高いレベルに増幅し、親機スピーカ３１によって、増幅された試験音声信号に応じた試験音声を通話時より大きな音量で放音し、親機マイク３２によって、親機スピーカ３１から放音された試験音声を集音し、集音した試験音声に応じた戻り試験音声信号を制御装置４０に送信し、装置制御部４６が、この戻り試験音声信号に基づいて親機インターホン２０が正常であるかを判定することで、親機受話器２３の親機スピーカ３１及び親機マイク３２の故障の有無や、親機本体部２１と親機受話器２３とを接続する有線２２の断線、接続異常等の有無を確認することができ、更に、親機本体部２１の故障の有無、親機インターホン２０と制御装置４０とを接続する通話回線２の断線、接続異常等の有無の確認をすることができ、親機受話器２３を含む親機インターホン２０の動作確認を行うことができる。
【００７５】
更に、本発明のインターホンシステム１は、装置制御部４６が、呼出試験信号を親機呼出スピーカ２９に送信し、親機制御部３０が、親機呼出スピーカ２９によって、装置制御部４６から送信された呼出試験信号に応じた呼出音声を放音し、親機マイク３２によって、親機呼出スピーカ２９から放音された呼出音声を集音し、集音した呼出音声に応じた呼出音声信号を制御装置４０に送信し、装置制御部４６が、この呼出音声信号に基づいて親機インターホン２０の親機呼出スピーカ２９が正常であるかを判定することで、親機呼出スピーカ２９の故障の有無等を確認することができ、親機受話器２３を含む親機インターホン２０の動作確認を行うことができる。
【００７６】
また、制御装置４０は、外部管理装置５０と通信を行う通信Ｉ／Ｆ４４を有しているので、判定した判定結果を外部管理装置５０に送信することができ、子機インターホン１０、親機インターホン２０及び制御装置４０と離れた遠隔地でも、外部管理装置５０によって子機インターホン１０、親機インターホン２０及び制御装置４０を監視することができる。
【００７７】
また、制御装置４０は、タイマ部４５を有しているので、管理者が親機操作部２７を操作して動作確認を行う所定の時間を設定することで、子機インターホン１０及び親機インターホン２０を所定の時間に自動的に動作確認を行うことができる。
【００７８】
なお、子機インターホン１０には、子機スピーカ１８から試験音声を放音し、放音された試験信号を直接子機マイク１９で集音することで、子機受話器１３の動作確認を行うことに限定されるものではなく、図７に示すように、子機受話器１３が載置される子機本体部１１の子機載置部１１ａに子機載置部マイク６０及び子機載置部スピーカ６１を有し、子機スピーカ１８から放音された試験音声を子機載置部マイク６０で集音し、集音した試験音声を子機載置部スピーカ６１から放音し、放音された試験音声を子機マイク１９で集音して、子機スピーカ１８及び子機マイク１９の動作確認を行うようにしてもよい。
【００７９】
具体的に、子機載置部１１ａには、子機受話器１３が載置された際に、子機スピーカ１８と対向する位置に設けられ、子機スピーカ１８から放音された試験音声を集音する子機載置部マイク６０と、子機載置部マイク６０で集音した試験音声を増幅する子機載置部アンプ６２と、子機マイク１９と対向する位置に設けられ、子機載置部アンプ６２から出力された試験音声信号に応じた試験音声を放音する子機載置部スピーカ６１とを有する。
【００８０】
これにより、子機載置部マイク６０は、子機スピーカ１８から放音された試験音声を集音し、集音した試験音声に応じた試験音声信号を子機載置部アンプ６２に出力する。そして、子機載置部アンプ６２は、子機載置部マイク６０から出力された試験音声信号を、通話時より大きなレベルであり、上述した子機スピーカ１８から放音された試験音声を子機マイク１９で直接集音するときより小さなレベルに増幅し、子機載置部スピーカ６１に出力する。そして、子機載置部スピーカ６１は、子機載置部アンプ６２から出力された試験音声信号に応じた試験音声を放音する。そして、子機マイク１９は、子機載置部スピーカ６１から放音される試験音声を集音し、集音した試験音声に応じた試験音声信号を有線１２を介して子機アンプ１６に出力する。
【００８１】
このような子機載置部マイク６０及び子機載置部スピーカ６１を有する子機インターホン１０は、子機スピーカ１８と対向する位置に子機載置部マイク６０が設けられ、子機マイク１９と対向する位置に子機載置部スピーカ６１が設けられているので、子機スピーカ１８から放音される試験音声を、通話時より大きなレベルであり、上述した子機スピーカ１８から放音された試験音声を子機マイク１９で直接集音するときより小さなレベルで放音することで、子機受話器１３の子機スピーカ１８及び子機マイク１９の故障の有無や、子機本体部１１と子機受話器１３とを接続する有線１２の断線、接続異常等の有無を確認することができ、更に、子機本体部１１の故障の有無、子機インターホン１０と制御装置４０とを接続する通話回線２の断線、接続異常等の有無の確認をすることができ、子機受話器１３を含む子機インターホン１０の動作確認を行うことができる。
【００８２】
また、親機インターホン２０についても、図７に示すように、上述したような親機受話器２３が載置される親機本体部２１の親機載置部２１ａに親機載置部マイク７０及び親機載置部スピーカ７１とを有し、親機スピーカ３１から放音された試験音声を親機載置部マイク７０で集音し、集音した試験音声を親機載置部スピーカ７１から放音し、放音された試験音声を親機マイク３２で集音して、親機スピーカ３１及び親機マイク３２の動作確認を行うようにしてもよい。詳細については、子機インターホン１０の子機載置部１１ａと同様の構成を有するので説明は省略する。
【００８３】
このような親機載置部マイク７０及び親機載置部スピーカ７１を有する親機インターホン２０は、親機スピーカ３１と対向する位置に親機載置部マイク７０が設けられ、親機マイク３２と対向する位置に親機載置部スピーカ７１が設けられているので、親機スピーカ３１から放音される試験音声を、通話時より大きなレベルであり、上述した親機スピーカ３１から放音された試験音声を親機マイク３２で直接集音するときより小さなレベルで放音することで、親機受話器２３の親機スピーカ３１及び親機マイク３２の故障の有無や、親機本体部２１と親機受話器２３とを接続する有線２２の断線、接続異常等の有無を確認することができ、更に、親機本体部２１の故障の有無、親機インターホン２０と制御装置４０とを接続する通話回線２の断線、接続異常等の有無の確認をすることができ、親機受話器２３を含む親機インターホン２０の動作確認を行うことができる。
【００８４】
なお、インターホンシステム１は、子機インターホン１０が銀行の貸金庫に複数ある個室にそれぞれ設置され、親機インターホン２０が貸金庫と離れた場所にいる貸金庫を管理する管理者の机等に設置されているものに限定されるものではなく、如何なる場所に設置されるようなものでもよい。例えばインターホンシステム１は、家庭内で用いられるようなものでもよい。
【図面の簡単な説明】
【００８５】
【図１】本発明が適用されたインターホンシステムを示す図である。
【図２】子機インターホンのブロック図である。
【図３】親機インターホンのブロック図である。
【図４】制御装置のブロック図である。
【図５】本発明が適用され、子機インターホン及び親機インターホンの動作確認を行う動作確認方法を示すフローチャートである。
【図６】図５の続きであり、本発明が適用され、子機インターホン及び親機インターホンの動作確認を行う動作確認方法を示すフローチャートである。
【図７】子機（親機）受話器が載置される子機（親機）本体部の子機（親機）載置部に子機（親機）載置部スピーカ及び子機（親機）載置部マイクが配置されている子機（親機）インターホンを示した図である。
【符号の説明】
【００８６】
１  インターホンシステム、１０  子機インターホン、１１  子機本体部、１１ａ  子機載置部、１２  有線、１３  子機受話器、１４  子機通話回線Ｉ／Ｆ、１５  子機切換部、１６  子機アンプ、１７  子機制御部、１８  子機スピーカ、１９  子機マイク、２０  親機インターホン、２１  親機本体部、２１ａ  親機載置部、２２  有線、２３  親機受話器、２４  親機通話回線Ｉ／Ｆ、２５  親機切換部、２６  親機アンプ、２７  親機操作部、２８  親機告知部、２９  親機呼出スピーカ、３０  親機制御部、３１  親機スピーカ、３２  親機マイク、４０  制御装置、４１  電源部、４２  装置通話回線Ｉ／Ｆ、４３  記憶部、４４  通信Ｉ／Ｆ、４５  タイマ部、４６  装置制御部、５０  外部管理装置、６０  子機載置部マイク、６１  子機載置部スピーカ、６２  子機載置部アンプ、７０  親機載置部マイク、７１  親機載置部スピーカ、７２  親機載置部アンプ
【図１】
2009171346.tif 000003
【図２】
2009171346.tif 000004
【図３】
2009171346.tif 000005
【図４】
2009171346.tif 000006
【図５】
2009171346.tif 000007
【図６】
2009171346.tif 000008
【図７】
2009171346.tif 000009